(57)【要約】【課題】通信端末から送った画像データを利用して作成するアルバムの興趣を高める。【解決手段】通信端末１１から位置情報、第１画像データ、及びコメントデータが画像アルバム作成装置１４に送られる。画像アルバム作成装置１４は、位置情報に対応する場所に設置されている定点カメラ１５で撮影した第２画像データを画像収集装置１３から取り込み、取り込んだ第２画像データと、通信端末１１から送られた第１画像データ及びコメントデータを利用してアルバムを作成する。作ったアルバムには、通信端末１１から送った画像データ以外に、定点カメラで撮影した画像データが載っているので味わいのあるものになる。【選択図】図１
2008090447.tif 000002
【特許請求の範囲】
【請求項１】
ネットワークに接続される通信端末の識別情報と、前記通信端末に記憶されている第１画像データとを前記通信端末から受信することでアルバムを作成する画像アルバム作成装置において、
前記第１画像データを取り込む第１画像取込手段と、
前記第１画像データを送信した時点の前記通信端末の位置情報を取得する位置情報取得手段と、
異なる場所に設置した複数の定点カメラのうちの前記位置情報に対応する場所にある定点カメラで撮影した第２画像データを取り込む第２画像取込手段と、
前記第１及び第２画像データを前記識別情報に関連付けしてそれぞれ記憶する記憶手段と、
前記第１及び第２画像データをそれぞれ利用して前記識別情報ごとに前記アルバムを作成するアルバム作成手段と、
を備えることを特徴とする画像アルバム作成装置。
【請求項２】
前記第１画像取込手段は、前記通信端末から第１画像データと一緒に送られてくるコメントデータを取り込み、前記記憶手段は、前記コメントデータを前記通信端末の識別情報に関連付けして記憶するとともに、
前記アルバム作成手段は、前記記憶手段から読み出した前記コメントデータを画像データに変換し、このコメントの画像データの色に基づいて前記記憶手段から読み出した前記第２画像データの輝度を変更し、前記輝度を変更した第２画像データに前記コメントの画像データを重畳した画像データを作成する画像処理手段を有し、その重畳した画像データを用いてアルバムを作成することを特徴とする請求項１記載の画像アルバム作成装置。
【請求項３】
ネットワークに接続される通信端末から送信される識別情報及びコメントデータを利用してアルバムを作成する画像アルバム作成装置において、
前記コメントデータを取り込むコメントデータ取込手段と、
前記コメントデータを送信した時点の前記通信端末の位置情報を取得する位置情報取得手段と、
異なる場所に設置した複数の定点カメラのうちの前記位置情報に対応する場所にある定点カメラで撮影した画像データを取り込む画像取込手段と、
前記コメントデータ及び前記画像データを前記識別情報に関連付けしてそれぞれ記憶する記憶手段と、
前記コメントデータ及び前記画像データをそれぞれ利用して前記識別情報ごとに前記アルバムを作成するアルバム作成手段と、
を備えることを特徴とする画像アルバム作成装置。
【請求項４】
前記アルバム作成手段は、前記記憶手段から読み出した前記コメントのテキストデータを画像データに変換して、このコメントの画像データの色に基づいて前記記憶手段から読み出した前記画像データの輝度を変更し、前記輝度を変更した画像データに前記コメントの画像データを重畳した画像データを作成する画像処理手段を有し、その重畳した画像データを用いてアルバムを作成することを特徴とする請求項３記載の画像アルバム作成装置。
【請求項５】
前記定点カメラで撮影した前記第２画像データ又は前記画像データを前記記憶手段から読み出し、読み出した前記第２画像データ又は画像データに基づいて顔画像の領域を抽出する顔画像抽出手段と、抽出した顔画像の領域に、ボカシ、モザイク、及び、塗りつぶし処理のうちの何れか一つの処理を施し、その処理を施した前記第２画像データ又は画像データを前記アルバム作成手段に送る顔画像処理手段と、を備えることを特徴とする請求項１ないし４いずれか記載の画像アルバム作成装置。
【請求項６】
アルバムの作成に関する申し込みを受け付ける受付手段を備え、
前記受付手段は、
前記アルバムを作成する期間又は期日に関する指定を受け付ける手段と、
指定した期間又は期日の間のみ前記アルバムの作成を許容する監視手段と、
を有することを特徴とする請求項１ないし５いずれか記載の画像アルバム作成装置。
【請求項７】
前記位置情報に対応する位置を含む地図データを取得する手段と、取得した地図データ上に前記位置情報の位置を、前記通信端末で撮影した場所を表すマークとして重畳した撮影場所履歴画像データを作成する撮影場所履歴作成手段と、前記通信端末から要求がある場合に前記撮影場所履歴画像データを識別情報に対応する通信端末に送信する送信手段と、を備えることを特徴とする請求項１ないし６いずれか記載の画像アルバム作成装置。
【請求項８】
ネットワークに接続される通信端末の識別情報と、前記通信端末に記憶されている第１画像データ又はコメントデータとを前記通信端末から受信することでアルバムを作成する画像アルバム作成方法において、
前記第１画像データ又はコメントデータを取り込むステップと、
前記第１画像データ又はコメントデータを送信した時点の前記通信端末の位置情報を取得するステップと、
異なる場所に設置した複数の定点カメラのうちの前記位置情報に対応する場所にある定点カメラで撮影した第２画像データを取り込むステップと、
前記第１画像データ又はコメントデータと前記第２画像データとを前記識別情報に関連付けしてそれぞれ記憶するステップと、
前記第１画像データ又はコメントデータと前記第２画像データとをそれぞれ利用して前記識別情報ごとにアルバムを作成するステップと、
を備えることを特徴とする画像アルバム作成方法。
【請求項９】
カメラ付き通信端末で撮影した第１画像データ、又は、カメラ付き通信端末で入力したコメントデータを記憶する記憶部と、前記記憶部に記憶した第１画像データ又はコメントデータを表示する表示部と、操作部と、ネットワークを介して請求項１又は３に記載の画像アルバム作成装置との間で通信する通信手段と、を備える通信端末において、
前記記憶部に記憶した第１画像データ又はコメントデータを前記画像アルバム作成装置に送信する送信手段と、
前記送信手段から送信した第１画像データ又はコメントデータに基づいて取得した位置情報に対応する場所に設置されている定点カメラで撮影した第２画像データを受信する受信手段と、
受信した前記第２画像データを前記表示部に表示する表示制御手段と、
を備えることを特徴とする通信端末。
【請求項１０】
前記複数の定点カメラの設置場所情報を取り込む手段と、
取り込んだ設置場所情報を前記表示部に表示する手段と、
所望する設置場所にある定点カメラを選択し、その選択情報を外部の指定先に送る手段と、
を備えることを特徴とする請求項９記載の通信端末。
【請求項１１】
異なる場所に設置した複数の定点カメラで撮影した画像データを、ネットワークを通じて請求項１又は３に記載の画像アルバム作成装置に送る画像収集装置において、
前記定点カメラの特定情報、及び、撮影指示を受け付ける受付部と、
前記撮影指示に応答して前記特定情報に対応する定点カメラで撮影した画像データを取り込む画像取り込み手段と、
取り込んだ画像データを低解像度の画像データに変換する画像処理手段と、
前記画像取り込み手段が取り込んだ元の画像データを前記アルバムで利用するために前記画像アルバム作成装置に、また、前記低解像度の画像データを前記通信端末にそれぞれ配信する配信手段と、
を備えたことを特徴とする画像収集装置。
【請求項１２】
画像取り込み手段が取り込んだ元の画像データに基づいて顔画像の領域を抽出する顔画像抽出手段と、抽出した顔画像の領域に、ボカシ、モザイク、及び、塗りつぶし処理のうちの何れか一つの処理を施し、その処理を施した画像データを前記画像処理手段に送る顔画像処理手段と、を備えることを特徴とする請求項１１記載の画像収集装置。
【発明の詳細な説明】
【技術分野】
【０００１】
本発明は、ネットワークに接続される通信端末から送るデータに基づいてアルバムを作成する画像アルバム作成装置及び方法、通信端末、並びに、画像収集装置に関する。
【背景技術】
【０００２】
従来、旅行者がカメラ付き携帯電話などの通信端末で撮影した画像やコメントのテキストデータを、ネットワークを通じてサーバに送ることで、そのサーバが画像データやコメントのテキストデータに基づいてアルバムを作成し、作成したアルバムをＨＰ（ホームページ）に公開したり、或いはＣＤやＤＶＤなどの記憶媒体に出力したりするアルバム作成装置が知られている（特許文献１、特許文献２）
【特許文献１】特開２００３−１７３３０９号公報
【特許文献２】特開２００５−２５９０６０号公報
【発明の開示】
【発明が解決しようとする課題】
【０００３】
しかしながら、前述した各アルバム作成装置では、通信端末で撮影した画像のみを利用してアルバムを作成するため、興趣に欠ける面があった。というのは、例えばカメラ付き携帯電話で撮影した画像では、人間の目線で見た被写体の画像しか得られないためである。また、旅行者は旅先で旅の思い出を日記につける場合、コメントデータのみを送信、そのコメントデータを、送信した時点の周辺画像と関連付けてアルバムを作成するものがなかった。
【０００４】
そこで、本発明は、自身で撮影した画像やコメントのみならず、いろいろな画像を取り込んで興趣が増すように工夫したアルバム作成装置及び方法、通信端末、並びに、画像収集装置を提供することを目的とする。
【課題を解決するための手段】
【０００５】
上記目的を達成するため、本発明のアルバム作成装置では、通信端末から送った第１画像データを取り込む第１画像取込手段と；前記第１画像データを送信した時点の通信端末の位置情報を取得する位置情報取得手段と；異なる場所に設置した複数の定点カメラのうちの前記位置情報に対応する場所にある定点カメラで撮影した第２画像データを取り込む第２画像取込手段と；前記第１及び第２画像データを通信端末の識別情報に関連付けしてそれぞれ記憶する記憶手段と；前記第１及び第２画像データをそれぞれ利用して識別情報ごとにアルバムを作成するアルバム作成手段と；を備えたものである。
【０００６】
第２画像データは、設置場所が異なる複数の定点カメラのうちのいずれかのカメラで撮影した画像データである。この画像には、第三者の顔が写っている場合がある。そこで、記憶手段から前記第２画像データを読み出し、読み出した第２画像データに基づいて顔画像の領域を抽出する顔画像抽出手段と、抽出した顔画像の領域に、ボカシ、モザイク、及び、塗りつぶし処理のうちの何れか一つの処理を施し、その処理を施した第２画像データをアルバム作成手段に送る顔画像処理手段と、を備えるのが望ましい。
【０００７】
アルバムを作成するときには、画像に関連付けしてコメントを記載するのが望ましい。この場合、通信端末からアルバム作成手段に画像データとともにテキストデータであるコメントデータを送る。このコメントデータは、画像データに関連付けして記憶部に記憶される。このとき、アルバム作成手段は、画像領域とテキスト領域とを予め決めておき、それぞれの領域に画像データとテキストデータとを挿入して表示してもよいし、コメントデータを画像データに変換して、変換した画像を第２画像データに重畳して表示してもよい。後者の場合には、コメントの画像データが視認し易いように、コメントの画像データの色に基づいて第２画像データの輝度を変更するのが好適である。例えば、コメントの画像データは文字を象った画像データであり、一般的に黒色であるので、第２の画像データの輝度が全体的に暗い場合には、輝度を上げる処理を行うのが望ましい。また、コメントは、画像データの特定範囲、例えば画像エリアの下方中央の範囲が最適であるため、この特定範囲のみの輝度を変更するようにしてもよい。また、第２画像データのみではなく第１画像データに対しても行ってもよい。
【０００８】
また、本発明では、アルバムを作成するにあたって、通信端端末から送信するデータとして第１画像データのみ、又は第１画像データとコメントデータとに限らず、コメントデータのみを送信しても定点カメラから第２画像データを自動的に取り込んでアルバムを作成するように構成してもよい。この場合には、コメントデータを取り込むコメントデータ取込手段と、コメントデータ及び第２画像データを識別情報に関連付けして記憶する記憶手段とを備え、アルバム作成手段がコメントデータと第２画像データとを利用してアルバムを作成する。これによれば、旅先で旅行の日記（コメント）を通信端末に入力し、そのコメントデータを画像アルバム作成装置に送信することで、自動的に定点カメラの画像を取り込んでアルバムを作成することができる。
【０００９】
画像アルバム作成装置は、アルバムの作成に関する申し込みを受け付ける受付手段を備えている。受付手段としては、アルバムを作成する期間又は期日に関する指定を受け付ける期間指定部と、指定した期間又は期日の間のみ前記アルバムの作成を許容する管理部と、を設けている。なお、期間に応じて画像データやテキストデータを記憶する記憶部の容量を変えて設定するようにしてもよい。
【００１０】
アルバムを作成中に、前に撮影したポイントを知りたい場合がある。この場合には、位置情報を含む地図データを取得する手段と、取得した地図上に位置情報を、通信端末で撮影した場所を表すマークとして重畳した画像データを作成する撮影場所履歴作成手段と、通信端末から要求がある場合にその画像データを識別情報に対応する通信端末に送信する送信手段と、を画像アルバム作成装置に備える。なお、通信端末側で地図上の各マークを選択操作する指令を受け取ることに応答して、そのポイントで撮影した画像データを記憶部から読み出して配信する手段を備えると、過去の画像データを通信端末側で表示することができるので、画像アルバム作成装置で作られているアルバムを一々閲覧しなくてもよいので簡便である。
【００１１】
通信端末は、テレビカメラと、操作部と、前記テレビカメラで撮影した第１画像データ又は前記操作部から入力したコメントデータを記憶する記憶部と、前記記憶部に記憶した第１画像データ又はコメントデータを表示する表示部と、ネットワークを介して請求項１又は３に記載の画像アルバム作成装置を含む外部装置との間で通信する通信手段と、を備えている。そして、アルバムを作成するために、記憶部に記憶した第１画像データ又はコメントデータを画像アルバム作成装置に送信する送信手段と、送信手段から送信した第１画像データ又はコメントデータに基づいて取得した位置情報に対応する場所に設置されている定点カメラで撮影した第２画像データを受信する受信手段と、受信した第２画像データを前記表示部に表示する表示制御手段と、を備えている。なお、表示部に表示した第２画像データをアルバムに使用するか否かを選択し、この選択情報を画像アルバム作成装置に送る選択指定手段を設けてもよい。
【００１２】
定点カメラの選択は、位置情報に最も近い場所に設置した定点カメラに自動的に決めるようにしてもよいし、通信端末側で選択させるようにしてもよい。後者の場合には、異なる場所に設置した複数の定点カメラの設置場所情報を取り込む手段と、取り込んだ設置場所情報を前記表示部に表示する手段と、所望する設置場所にある定点カメラを選択し、その選択情報を外部の指定先に送る手段と、を通信端末に備える。
【００１３】
情報収集装置は、定点カメラで撮影した画像データを、ネットワークを通じて請求項１又は３に記載の画像アルバム作成装置に送る。この情報収集装置は、定点カメラの特定情報及び撮影指示を受け付ける受付部と、前記撮影指示に応答して前記特定情報に対応する定点カメラで撮影した画像データを取り込む画像取り込み手段と、通信端末に表示させるために取り込んだ画像データを低解像度の画像データに変換する画像処理手段と、画像取り込み手段が取り込んだ元の画像データと低解像度の画像データとをそれぞれ外部の指定先に配信する配信手段と、を備えている。
【００１４】
なお、第２の画像データに写る顔画像の領域に、ボカシ、モザイク、及び、塗りつぶし処理のうちの何れか一つの処理を施すための顔画像抽出手段及び顔画像処理手段を、画像収集装置に設けても良い。なお、本発明としては、画像アルバム作成装置、通信端末、及び、画像収集装置とから構成されるアルバム作成システムとしてもよい。また、本発明の定点カメラは、監視カメラを含む。
【発明の効果】
【００１５】
本発明によれば、通信端末から送る第１の画像データのみならず、定点カメラで撮影した第２の画像データを用いてアルバムを作成するため、アルバムとしての興趣が増し、例えばランドマークとなる写真を取り入れて旅先が一目で分かるアルバムを簡便に作成することができる。また、日記をつけるだけで画像入りのアルバムも簡便に作成することができる。
【発明を実施するための最良の形態】
【００１６】
本発明を用いたアルバム作成システム１０は、図１に示すように、通信端末１１、複数の基地局１２、画像収集装置１３、及び、画像アルバム作成装置１４などで構成されている。画像収集装置１３は、複数の定点カメラ１５、複数のローカルサーバ１６、及び、管理サーバ１７で構成されている。複数の定点カメラ１５は、世界中の都市や観光地に配置されており、各場所の風景をリアルタイムで撮影している。各定点カメラ１５には、ローカルサーバ１６が各々接続されており、各ローカルサーバ１６は、管理サーバ１７にネットワーク１８を介して接続されている。管理サーバ１７は、ローカルサーバ１６を介して各定点カメラ１５の撮影指示及び画像データの取り込みを制御する。また、管理サーバ１７、画像アルバム作成装置１４、及び、複数の基地局１２とは、ネットワーク１９を介して各々接続されており、通信端末１１、画像アルバム作成装置１４、及び、管理サーバ１７は互いの間でデータの授受が行える。なお、ネットワーク１８，１９とは、電気通信回線や光通信回線などを用いて遠隔地との間で通信する手段である。また、通信端末１１は、各基地局１２との間で無線通信により接続されている。
【００１７】
通信端末１１は、例えば電子カメラ付携帯電話であり、電子メールの機能を使ってメッセージ欄にコメントを記載し、これに画像データを添付したメールを、画像アルバム作成装置１４に送信する。
【００１８】
通信端末１１は、図２に示すように、テレビカメラ２０と、テレビカメラ２０で撮影した画像データを記憶する記憶部２１と、記憶部２１に記憶した画像データを表示する表示部２２と、キーボードなどの操作部２３と、ネットワーク１９を介して画像アルバム作成装置１４との間で通信をする通信手段２４と、これらを統括的に制御するＣＰＵ２５と、を備えている。メモリ２６は、グラフック用のメモリ部と、ＣＰＵ２５のワーク用のメモリ部と、アプリケーションソフトを記憶するメモリ部と、からなる。アプリケーションソフトには、メールソフトがある。このメールソフトは、ＣＰＵ２５で実行され、表示部２２及び通信手段２４を制御することで、記憶部２１に記憶した画像データをコメントとともに、画像アルバム作成装置１４に送信する送信手段と、送信手段から送信したデータに基づいて取得した位置情報に対応する場所に設置されている定点カメラ１５で撮影した画像データを受信する受信手段と、を構成している。また、アプリケーションソフトには、画像表示ソフトがある。このソフトは、ＣＰＵ２５で実行され、定点カメラ１５で撮影した画像データを表示部２２に表示する表示制御手段を構成する。
【００１９】
なお、通信端末１１としては、カメラ付き携帯電話に限らず、電子カメラの機能と通信機能とを携帯型電子機器に取り付けたものであれば良い。携帯型電子機器としては、携帯型コンピュータ、腕時計、携帯型ゲーム機、ＧＰＳレシーバー、ノートパソコン、ＰＤＡ（Personal Digital Assistants）、電子カメラやビデオカメラなどの映像記録機器、またはこれら機器を複合化した機器やシステムなどでもよい。
【００２０】
メールは、通信端末１１を使用する場所に近い基地局１２で受信される。各基地局１２は、自身の位置情報を各々もっており、受信したメールに位置情報を関連付けして画像アルバム作成装置１４に送信する。
【００２１】
なお、メールに位置情報を付与する方法としては、基地局１２から位置情報を取得し、取得した位置情報を通信端末１１でメールに付与して送る方法を採用してもよい。また、ＧＰＳ付きの通信端末では、位置情報を簡単に得られるので、得た位置情報をメールに付与して送ればよい。
【００２２】
画像アルバム作成装置１４は、図３に示すように、受付部２８、情報抽出部２９、画像要求部３０、記憶部３１、Ｗｅｂサーバ３２、及び、アルバム作成部３３などで構成されており、依頼元の通信端末１１から送られてくるメールから、送信元のメールアドレス（識別情報）、コメントのテキストデータ、画像データ、及び、位置情報をそれぞれ抽出し、抽出した情報及びデータが記憶部３１に送られる。また、抽出した位置情報及び識別情報は、画像要求部３０に送られる。なお、通信端末１１から送信される画像データを以下では「第１画像データ」と称す。
【００２３】
受付部２８は、期間指定部３４、管理部３５、及び、メールサーバ３６とで構成されている。期間指定部３４は、アルバムを作成する期間又は期日に関する指定を受け付ける。管理部３５は、通信端末１１の識別情報に基づいて認証手続きを行うとともに、認証された通信端末１１ごとに期間指定部で指定した期間又は期日の間のみアルバムの作成を許容する。なお、受付部２８と情報抽出部２９とが本発明の第１画像取込手段又はコメントデータ取込手段と、位置情報取得手段とを構成する。
【００２４】
画像要求部３０は、位置情報と識別情報とを記載したメールを、メールサーバ３６を介して画像収集装置１３に送る。このメールは、異なる場所に設置した複数の定点カメラ１５のうちの位置情報に対応する場所にある定点カメラ１５で撮影した静止画像データを送るように要求するためのメールである。これにより、位置情報に対応する場所に設置した定点カメラ１５で撮影した静止画像データが画像収集装置１３から送られてくる。なお、画像収集装置１３から送信される静止画像データを以下では「第２画像データ」と称す。この第２画像データは、情報抽出部２９によりメールから抽出され、記憶部３１に送られる。これらメールサーバ３６と画像要求部３０とが本発明の第２画像取込手段を構成する。記憶部３１は、コメントのテキストデータ、第１画像データ、及び、第２画像データを識別情報に関連づけして記憶する。アルバム作成部３３は、記憶部３１から読み出した各データに基づいて識別情報ごとにアルバムを作成し、作成したデータをＨＴＭＬ形式に変換してＦＴＰ（File Transfer Protocol）によりＷｅｂサーバ３２にアップロードする。
【００２５】
画像収集装置１３は、図４に示すように、複数の定点カメラ１５、ローカルサーバ１６、及び、管理サーバ１７で構成されている。管理サーバ１７は、ローカルサーバ１６を介して各定点カメラ１５の撮影指示や画像収集の制御を行う。
【００２６】
管理サーバ１７は、受付部４０、特定部４１、撮影指示手段４２、画像取り込み手段４３、画像処理手段４４、記憶部４５、及び、配信手段４６などで構成されている。受付部４０は、ネットワーク１９を介して画像アルバム作成装置１４から送られる画像要求のメールを受け付けるメールサーバ４７と、そのメールに付与されている位置情報及び識別情報を抽出する情報抽出部４８とを有している。情報抽出部４８で抽出した位置情報及び識別情報は、特定部４１に送られる。特定部４１は、その位置情報と同じ場所又はそれに近い場所に設置されている定点カメラ１５を特定し、その情報を識別情報に関連付けして撮影指示手段４２に送る。撮影指示手段４２は、特定した定点カメラ１５に対応するローカルサーバ１６に撮影指示を送る。ローカルサーバ１６は、撮影指示を受け取ることに応答して接続されている定点カメラ１５に撮影指示を送り、得られる第２画像データを取り込み、取り込んだ第２画像データを識別情報に関連付けして管理サーバ１７に送る。
【００２７】
管理サーバ１７では、第２画像データを画像取り込み手段４３で受け取る。画像取り込み手段４３で受け取った第２画像データは、識別情報に関連付けして記憶部４５に記憶される。画像処理手段４４は、記憶部４５から読み出した第２画像データを予め決められた低解像度、すなわち、通信端末１１で表示可能な解像度に変換して第３画像データを作る。なお、識別情報から通信端末１１の種類（機種＆型番）を特定でき、種類から表示可能な解像度を知ることができる。
【００２８】
画像処理手段４４で作った第３画像データは配信手段４６に送られる。配信手段４６は、第２画像データを高解像度のデータとして送信元の画像アルバム作成装置１４に、また、低解像度の第３画像データは、識別情報に対応する通信端末１１にそれぞれ送る。なお、定点カメラ１５は、ローカルサーバ１６にスルー画像を常に送信している。そこで、ローカルサーバ１６は、一定時間毎に定点カメラ１５のスルー画像から静止画像を抽出して記憶しておき、記憶した静止画像データを要求ごとに管理サーバ１７に送るように構成してもよい。また、定点カメラ１５には監視カメラも含む。
【００２９】
また、画像アルバム作成装置１４が定点カメラ１５で撮影した画像の要求指示を画像収集装置１３にメールで送っているが、通信端末１１で画像収集装置１３から直接に第２画像データを取り込み、これを画像アルバム作成装置１４に送るように構成してもよい。この場合には、画像収集装置１３にＷｅｂサーバを設け、Ｗｅｂサーバに定点カメラ１５の選択欄、選択した定点カメラ１５で撮影した画像の表示部、撮影指示ボタン、送り先指定ボックスなどを画面に配したＨＰをアップしておき、ここに通信端末１１から直接アクセスさせて位置情報に対応する定点カメラ１５への撮影指示の要求、及び、選択した定点カメラで撮影した画像のダウンロードを行えばよい。
【００３０】
アルバムを作成する場合には、図５に示すように、通信端末１１からネットワーク１９を介して画像アルバム作成装置１４に接続し、アルバム作成の登録を依頼する。この登録には、識別情報、パスワード、アルバム作成期間などの項目があり、これら登録情報は、画像アルバム作成装置１４の管理部３５と期間指定部３４とが管理する。登録作業が完了すると、通信端末１１に登録が完了した旨のメールを送る。通信端末１１でそのメールを受信することで登録確認の認証が完了したことを知ることができる。
【００３１】
その後は、指定した期間内で旅先から、コメントを記載したメールに、例えばこの場所で撮影した画像データ（第１画像データ）を添付して画像アルバム作成装置１４に送る。このメールには、基地局で位置情報が付加される。画像アルバム作成装置１４は、受付部２８で認証をした後に、受信したメールから第１画像データ、テキストデータ、位置情報、及び、識別情報を情報抽出部２９がそれぞれ抽出し、識別情報に関連づけして第１画像データ及びテキストデータを記憶部３１に記憶する。
【００３２】
画像要求部３０は、異なる場所に設置した複数の定点カメラ１５のうちの位置情報に対応する場所にある定点カメラ１５で撮影した静止画像データを送るように要求するためのメールを画像収集装置１３に送る。このメールには、位置情報と識別情報とが記載されている。
【００３３】
画像収集装置１３は、メールサーバ４７でメールを受信し、情報抽出部４８でメールから位置情報と識別情報とを抽出する。特定部４１は、定点カメラの設置場所情報を記憶しており、抽出した位置情報の場所又はそれに近い場所に設置されている定点カメラ１５を特定し、その情報を撮影指示手段４２に送る。
【００３４】
撮影指示手段４２は、特定した定点カメラ１５に対応するローカルサーバ１６に撮影指示を送る。ローカルサーバ１６は、撮影指示を受け取ることに応答して定点カメラ１５に撮影指示を送り、得られた第２画像データを取り込み、取り込んだ第２画像データを管理サーバ１７に送る。
【００３５】
管理サーバ１７は、画像取り込み手段４３で第２画像データを取り込み、記憶部４５に送る。記憶部４５は、識別情報に関連づけして第２画像データを記憶する。画像処理手段４４は、記憶部４５に記憶した第２画像データの解像度を通信端末１１で表示可能な低解像度に落とす処理を行って第３画像データを作る。低解像度に落とすことによって、通信時間を短くすることができ、また、通信端末は、一般的に表示部２２の解像度が低いため、通信時間の短縮や通信端末での表示の確実性の向上を図ることができる。そして、配信手段４６が第３画像データを通信端末１１に送信する。また、配信手段４６は、第２画像データを識別情報に関連づけして画像アルバム作成装置１４に送る。
【００３６】
通信端末１１では、第３画像データを受信すると、その画像を表示部２２に表示する操作を行って、それに対応する第２画像データをアルバムで使用するか否かを選択操作する。この操作は、空メールに第３画像データを添付して送り返すことで使用する旨を、また、空メールに第３画像データを添付しないで送り返すことで使用しない旨を伝達することができる。なお、第２画像データをアルバムで使用するか否かを選択する手段を省略し、第２画像データを必ずアルバムに使用するように構成してもよい。この場合は、第３画像データを通信端末１１に表示するのみとなる。
【００３７】
画像アルバム作成装置１４は、受け取った空メールに第３画像データが添付されている場合には、第３画像データに対応する第２画像データ、第１画像データ、及び、コメントのテキストデータを使用してアルバムを作成する。また、受け取った空メールに第３画像データが添付されていない場合には、第１画像データ、及び、コメントのテキストデータのみを使用してアルバムを作成する。このように、使用するか否かの選択を行わせることで、例えば、位置情報が同じ場所で撮影した複数の第１画像データを時系列に送信したときに、同じ定点カメラで撮影した第２画像データが使用されることを未然に防止することができる。なお、通信端末１１から複数の第１画像データを同時に送ってもよい。この場合には、取り込む第２画像データが一つで済むので、選択作業が簡便になる。
【００３８】
画像アルバム作成装置１４は、Ｗｅｂサーバ３２に識別情報ごとにフォルダを作っている。このフォルダに、作成したＨＴＭＬ形式のアルバムのデータをＦＴＰによりアップロードする。
【００３９】
通信端末１１から引き続き第１画像データ及びコメントデータを画像アルバム作成装置１４に送ると、前述した同様に、画像収集装置１３から第２画像データが取り込まれ、定点カメラ１５の画像を使用する場合には第１及び第２の画像データとテキストデータとを利用してアルバムを更新していく。
【００４０】
上記実施形態では、第１画像データとコメントデータとを通信端末１１から画像アルバム作成装置１４に送ることで、自動的に定点カメラ１５で撮影した第２画像データを取り込んで、第１及び第２画像データ並びにコメントデータを利用してアルバムを作成しているが、本発明では、これに限らず、第１画像データのみを通信端末１１から画像アルバム作成装置１４に送ることで、自動的に第２画像データを取り込んで、第１画像データ及びコメントデータを利用してアルバムを作成してもよいし、また、コメントデータのみを通信端末１１から画像アルバム作成装置１４に送ることで、自動的に第２画像データを取り込んで、第２画像データ及びコメントデータを利用してアルバムを作成してもよい。アルバム作成部３３は、コメントデータと第２画像データ、第１画像データと第２画像データ、コメントデータと第１及び第２画像データ、とのうちの何れかの組み合わせを利用してアルバムを更新する。
【００４１】
Ｗｅｂサーバ３２で公開されるＨＰでは、識別情報などにより認証を行うことで、アルバムの編集や画像の加工・差し替えが容易に行えるようになっている。よって、通信端末１１でそのＨＰからログインすると、コメントの編集、画像の明るさ・コントラストなどの補正処理、及び、画像の差し替えなどが行える。また、そのＨＰでは、アルバムのデータ及びその表示ソフトをＣＤ又はＤＶＤなどの記録媒体に記録して指定先の住所に郵送するサービスの受付も行っている。
【００４２】
Ｗｅｂサーバ３２には、識別情報ごとにフォルダが作られている。例えば、図６に概念的に示すように、識別情報Ａのフォルダ内には送信日の日付でフォルダが作られ、各日付フォルダ内には送信時刻のフォルダが作られる。そして、各送信時刻のフォルダ内に、テキストデータ、第１画像データ、及び、第２画像データが保存される。画像及びテキストの表示は、日付、時刻の順（時系列順）で行われる。アルバムは、ＣＧＩ（Common Gateway Interface）などの実行ファイルや、ＨＴＭＬに埋め込んだJava（登録商標）Scriptなどの処理を利用して、１頁の所定位置に画像データとテキストデータを自動的に挿入して、ＨＴＭＬ形式に出力することで頁ごとに閲覧可能になる。
【００４３】
ＨＰに公開したアルバムを通信端末１１で閲覧すると、図７に示すように、最初の頁には、最初に送った第１画像データ及びコメントが表示され、そして、次頁には、定点カメラ１５で撮影した第２画像データが表示される。なお、次頁に表示されるコメントは、編集作業により入力したコメントである。編集作業で入力したコメントはいったんアルバム作成部３３に取り込まれた後に記憶部３１に送られて記憶部３１に識別情報に関連付けして記憶される。アルバム作成部３３は、記憶部３１から読み出した識別情報に関連付けしたデータに基づいてアルバムを更新する。このように、第１画像データは、送信時間に基づいて時系列的に表示され、第２画像データは、位置情報が対応する第１画像データの次頁に表示される。また、通信端末１１から複数の第１画像データが同時に送られている場合には、複数の第１画像データを添付順又は撮影日時順に配置し、最初の第１画像データの次頁に第２画像データが挿入される。なお、表示順番は、これらに限らず、第１画像データの前頁に、対応する第２画像データを配するようにしてもよい。
【００４４】
上記実施形態では、アルバム作成部３３が、画像領域とテキスト領域とを予め決めておき、それぞれの領域に画像データと、コメントのテキストデータとを別々の領域に挿入して表示するようにしているが、本発明ではこれに限らず、アルバム作成部３３に画像処理部を設け、ここで、コメントのテキストデータを、文字の形に象った画像データに変換して、かつ、変換した文字画像を第２画像データに重畳した画像データを作って、作った画像データをアルバムとして表示するようにしてもよい。この場合には、コメントの画像データが視認し易いように、画像処理部で第２の画像データの輝度を変更するのが好適である。例えば、文字画像を暗調子の色にする場合で、かつ第２の画像データの全体の輝度を検出し、予め決めた閾値（文字画像の色の輝度）と比較してこれよりも暗い場合には、輝度を上げる処理を行うのが望ましい。逆に、文字画像の色を明調子の色にする場合で、かつ第２の画像データの輝度が全体的に明るい場合には、その輝度を下げる処理を行えばよい。また、コメントは、画像データの特定範囲、例えば画像エリアの下方中央の範囲が最適である。このため、この特定範囲のみの輝度を変更するようにしてもよい。また、第２画像データのみではなく第１画像データに対しても行ってもよい。
【００４５】
上記実施形態では、画像収集装置１３が位置情報に基づいて定点カメラ１５を自動的に指定しているが、画像アルバム作成装置１４で特定してもよい。この場合には、定点カメラの設置場所情報を記憶する特定部を画像アルバム作成装置１４に設ければよい。
【００４６】
また、通信端末１１で設置場所情報の一覧を表示してこの一覧から指定する構成にしてもよい。この場合には、定点カメラ１５の設置場所情報を記憶する記憶部を画像収集装置１３に設ける。通信端末１１には、設置場所情報の取り込みを要求する要求部と、画像収集装置１３から設置場所情報を取り込む手段と、取り込んだ設置場所情報の一覧を表示部２２に表示する手段と、一覧から所望する設置場所にある定点カメラを選択し、その選択情報を画像アルバム作成装置１４又は画像収集装置１３に送る手段と、を備える。
【００４７】
この場合、図８に示すように、コメント及び第１画像データを送信した後に、第２画像データを使用するか否かを選択操作し、「使用する」を選択した場合に要求部が、定点カメラ１５の設置場所情報の取り込みを画像収集装置１３に要求する。この要求情報には、位置情報が付与されている。画像収集装置１３は、この要求情報に対して定点カメラ１５の設置場所情報（全部）、又は、位置情報に近い場所に設置した定点カメラ１５の設置場所情報（一部）を通信端末１１に送る。
【００４８】
通信端末１１では、設置場所情報の一覧を表示部２２に表示し、何れか一つの場所に設置されている定点カメラ１５を選択させる。この定点カメラ１５の特定情報は、通信端末１１から画像アルバム作成装置１４を介して画像収集装置１３に送られる。画像収集装置１３は、特定情報に対応する定点カメラ１５で撮影した第２画像データを取り込み、取り込んだ第２画像データから低解像度に処理した第３画像データを作ってその第３画像データを通信端末１１に送る。通信端末１１では第３画像データを表示して、アルバムに使用するか否かを選択操作させる。「使用する」を選択した場合には、画像アルバム作成装置１４に、定点カメラ１５の特定情報が送信される。画像アルバム作成装置１４は、特定情報を受け取ると、特定した定点カメラで撮影した第２画像データを取り込むための要求を画像収集装置１３に送る。これにより、指定先の定点カメラ１５で撮影した第２画像データが画像アルバム作成装置１４に取り込まれる。
【００４９】
また、アルバムを作成中に、前に撮影したポイントを知りたい場合がある。この場合には、以前に送信された全ての位置情報を含む地図データを取得する手段と、取得した地図データ上に全ての位置情報を、通信端末１１で撮影した場所を表すマークとして重畳した画像データ（撮影場所履歴データ）を作成する撮影場所履歴作成手段と、通信端末１１から要求がある場合にその画像データを識別情報に対応する通信端末に送信する送信手段と、を画像アルバム作成装置１４に設ける。
【００５０】
これによれば、通信端末１１で画像アルバム作成装置１４に撮影場所履歴情報の取得を要求すると、図９に示すように、撮影したポイントを表す黒丸のマーク５０を地図上に表示した撮影場所履歴データが画像アルバム作成装置１４から送られる。これを表示部２２に表示することで以前に撮影した場所の履歴を一目で把握することができる。また、地図上のマーク５０には、その場所で送信した第１画像データの記憶先のアドレスがリンクされている。したがって、マーク５０を選択操作すると、そこにリンクした第１画像データが通信端末１１に取り込まれ、その地点で撮影した第１画像データを表示部２２に表示することができる。なお、撮影場所履歴データとしては、送信時間の時系列順にマーク５０を結ぶ線を表示してもよい。これによれば、旅先での移動履歴も把握することができる。
【００５１】
定点カメラ１５で撮影した第２画像データには、第三者の顔が多数写っている場合がある。この場合、写っている顔画像の全てを検出し、検出した顔画像の領域の全てにボカシ、モザイク、及び、塗りつぶし処理のうちの何れか一つの処理を施すのが望ましい。この場合には、顔画像抽出手段と、顔画像処理手段とで構成されるマスク手段を、画像アルバム作成装置１４、又は、画像収集装置１３に設ければよい。顔画像抽出手段は、第２画像データに基づいて顔画像の領域を全て抽出する。顔画像処理手段は、図１０に示すように、抽出した顔画像の領域を矩形枠５２で囲み、ボカシ、モザイク、及び、塗り潰し処理のうちの何れか一つの処理を矩形枠５２内に施す。なお、図１０では、矩形枠５２内を黒色で塗り潰す塗り潰し処理を施してマスク５３を作っている。こうすることで、第三者のプライバシーを保護することができる。
【００５２】
マスク手段を画像アルバム作成装置１４に設ける場合には、図３で説明した記憶部３１とアルバム作成部３３との間に設け、記憶部３１から読み出した第２画像データをマスク処理して、マスク処理した第２画像データをアルバム作成部３３に送るように構成する。
【００５３】
また、画像収集装置１３に設ける場合には、マスク手段を図４で説明した画像取り込み手段４３と記憶部４５との間に設け、マスク処理した第２画像データを記憶部４５に記憶させるように構成すればよい。
【００５４】
図１１に示す実施形態は、テーマパークなどの特定のエリア内でのみ使用することができる通信端末６０を利用してアルバムを作成するアルバム作成システムである。この通信端末６０は、テーマパークでのみ利用可能な端末であり、無料又は有料で貸し出される。基地局６１は、テーマパーク内に複数設置されており、通信端末６０と無線ＬＡＮ６３により接続される。基地局６１、画像アルバム作成装置６４、及び、画像収集装置６５の管理サーバ６６は、ＬＡＮ６７により接続されている。定点カメラ６７は、テーマパーク内の各アトラクションの全景を撮影しており、監視カメラとしても利用している。各定点カメラ６７と管理サーバ６６とはＬＡＮ６８で接続されており、定点カメラ６７で撮影した第２画像データは管理サーバ６６に送られる。
【００５５】
通信端末１１には、テレビカメラ及びＧＰＳが搭載されている。通信端末１１から、コメントのテキストデータ、第１画像データ、及び、位置情報を画像アルバム作成装置６４に送信すると、画像アルバム作成装置６４から位置情報が管理サーバ６６に送られる。管理サーバ６６は、受け取った位置情報に基づいてその位置情報に近い定点カメラ６７を特定し、特定した定点カメラ６７で撮影した第２画像データを画像アルバム作成装置６４に送る。これにより、画像アルバム作成装置６４は、第１及び第２画像データとテキストデータとからアルバムを作成する。この場合、通信端末６０を返すときに、作ったアルバムをプリント写真にプリントして渡す。なお、ＣＤやＤＶＤに記録して渡してもよい。
【図面の簡単な説明】
【００５６】
【図１】本実施の一実施形態であるアルバム作成システムの構成を示す説明図である。
【図２】通信端末の構成を示す説明図である。
【図３】画像アルバム作成装置の構成を示す説明図である。
【図４】画像収集装置の構成を示す説明図である。
【図５】アルバム作成システムの作業手順を示すフローチャート図である。
【図６】画像アルバム作成装置に記憶されるが画像データ及びテキストデータを記憶する概念を示す説明図である。
【図７】通信端末の表示部に表示したアルバムを示す説明図である。
【図８】撮影場所履歴情報を通信端末に表示する実施形態を示すフローチャート図である。
【図９】地図上に撮影した場所の履歴をマークで記した画像を示す説明図である。
【図１０】顔画像を抽出し、その顔画像にマスク処理を施した第２画像データを作る田の実施形態を示す説明図である。
【図１１】テーマパーク内でアルバムを作成するアルバム作成システムの例を示す説明図である。
【符号の説明】
【００５７】
１０，５９  アルバム作成システム
１１，６０  通信端末
１３，６５  画像収集装置
１４，６４  画像アルバム作成装置
【図１】
2008090447.tif 000003
【図２】
2008090447.tif 000004
【図３】
2008090447.tif 000005
【図４】
2008090447.tif 000006
【図５】
2008090447.tif 000007
【図６】
2008090447.tif 000008
【図８】
2008090447.tif 000009
【図１１】
2008090447.tif 000010
【図７】
2008090447.tif 000011
【図９】
2008090447.tif 000012
【図１０】
2008090447.tif 000013